(57)【特許請求の範囲】
【請求項１】
短冊板形状のスラット部材で構成されるスラット部と、棒状のシャッター部材をリンクにて連結して構成されるグリル部とを互いに連結して構成されるシャッターカーテンの連結構造において、
前記スラット部を構成する前記スラット部材と同等の長さに形成されるとともに、前記スラット部の前記グリル部に最も近接するスラット部材の全長にわたり、該スラット部材のカール部に係合し連結される連結カール部を有し、かつ、断面略鉤状に形成される嵌合連結部を有する連結スラット部材と、
前記グリル部の前記スラット部に最も近接するシャッター部材が挿通される筒部を有するとともに、該筒部の外周の一部に、前記連結スラット部材の嵌合連結部と互いに嵌合しあう連結部を有する連結パイプ部材と、
を具備し、
前記連結パイプ部材の長さは、前記グリル部を構成するシャッター部材同士を連結させるリンク間の間隔長さに形成されていることを特徴とするシャッターカーテンの連結構造。
【請求項２】
前記連結スラット部材と、前記連結パイプ部材とを連結させる前記嵌合連結部と前記連結部は、前記連結スラット部材及び前記連結パイプ部材の長手方向に沿ってスライド結合される構造よりなることを特徴とする請求項１記載のシャッターカーテンの連結構造。
【請求項３】
前記連結スラット部材の少なくとも両端には、該連結スラット部材に対する前記連結パイプ部材の端部の位置を固定する固定手段が配設されることを特徴とする請求項１又は２に記載のシャッターカーテンの連結構造。
【発明の詳細な説明】
【０００１】
【発明の属する技術分野】
本発明は、短冊板形状のスラット部材で構成されるスラット部と、棒状のシャッター部材をリンクを介して連結したグリル部とを互いに連結して構成されるシャッターカーテンの連結構造に関するものである。
【０００２】
【従来の技術】
一般に、シャッター装置を構成するシャッターカーテンは、多数の短冊板形状に形成されているスラット部材を連結し、これを昇降させることによって開閉する構造となっており、シャッターカーテン（スラットカーテン）を降下させ閉鎖すると、遮光状態となるものである。
【０００３】
また、パイプなどの棒状のシャッター部材をリンクにて連結した構造のシャッターカーテンは、グリルシャッター（グリルカーテン）と呼ばれ、閉鎖状態としても通風や採光などが行え、閉鎖された内部が透視できることからディスプレィ効果を得られ、商店のシャッターとして利用されている。
【０００４】
そして、これらのシャッターカーテンを組み合わせ、グリルカーテンを上方に、スラットカーテンを下方に位置させて互いを連結し、通風や採光，排煙などを行うとともに、空間の遮蔽を行うことが可能な上部開放型シャッターカーテンが知られている。
【０００５】
従来、このようなシャッターのグリルカーテンとスラットカーテンとの連結部分における構造は、図４に示すような、切欠５１が形成された連結部材５２によって連結する構造が案出されている。
この連結部材５２は筒状部５３を有するとともに、この筒状部５３から板状の連結部５４が延出形成されているもので、前記切欠５１は筒状部５３の中央に形成されている。
【０００６】
そして、スラットカーテン５５に最も近接しているパイプ状のシャッター部材５６を前記連結部材５２の筒状部５３に嵌挿させるとともに、スラットカーテン５５に最も近接しているリンク部材５７を前記切欠５１内に挿入している。そして、前記連結部材５２の連結部５４をスラットカーテン５５のスラット部材にビス止めや溶接によって連結することで、グリルカーテン５８とスラットカーテン５５とを連結している。
【０００７】
また、図５に示すような、連結構造も案出されている。
なお、前記図４で示した連結構造と同一構成箇所は同一符号で記す。
この連結構造では、グリルカーテン５８と最も近接しているスラットカーテン５５の端縁に連結スラット５９を連結させ、この連結スラット５９を介してグリルカーテン５８を連結するようになっている。
この連結スラット５９には、一部に切欠６０が形成されるとともに、グリルカーテン５８のスラットカーテン５５に最も近接するシャッター部材６１が嵌挿される断面略Ｊ字状の嵌合縁を設け、切欠６０内にリンク部材５７を挿入し、この切欠６０に入り込んだリンク部材５７にシャッター部材６１を挿着して、シャッター部材６１を嵌合縁に挿入固定することによって連結している。
【０００８】
【発明が解決しようとする課題】
しかしながら、上述した各従来の連結構造では、前者の図４に示す連結構造は、専用の連結部材５２を必要とするばかりか、この連結部材５２に切欠５１を形成する必要があり、製作が面倒である欠点を有している。
また、グリルカーテン５８とスラットカーテン５５との連結固定手段もビス止めや溶接により行われることから、作業性が悪いばかりか、連結部材５２がシャッターカーテンとしての正面に露出し、外観すなわち意匠性を損ねるという問題を有している。
【０００９】
また、後者の図５に示す連結構造も、スラットカーテン５５に連結スラット５９を設け、この連結スラット５９に切欠６０を形成しなければならず、また、この連結スラット５９にシャッター部材６１を固定しなければならず、製作が面倒であり、作業性の悪さや、この切欠６０が正面に露出することにより、やはり外観を損なうという問題点を有していた。
【００１０】
そこで本発明は、上記問題点を解消するために、スラットカーテンとグリルカーテンとを容易に連結させることを可能とするとともに、その連結部分が外観を損なうことのないシャッターカーテンの連結構造を提供することを目的としている。
【００１１】
【課題を解決するための手段】
次に、上記の目的を達成するための手段を、実施の形態に対応する図面を参照して説明する。
この発明のシャッターカーテンの連結構造は、短冊板形状のスラット部材２０で構成されるスラット部１と、棒状のシャッター部材３をリンク４にて連結して構成されるグリル部２とを互いに連結して構成されるシャッターカーテンの連結構造において、
前記スラット部１を構成する前記スラット部材２０と同等の長さに形成されるとともに、前記スラット部１の前記グリル部２に最も近接するスラット２０部材の全長にわたり、該スラット部材２０のカール部１３に係合し連結される連結カール部１２を有し、かつ、断面略鉤状に形成される嵌合連結部１０を有する連結スラット部材９と、
前記グリル部２の前記スラット部１に最も近接するシャッター部材３が挿通される筒部８を有するとともに、該筒部８の外周の一部に、前記連結スラット部材９の嵌合連結部１０と互いに嵌合しあう連結部６を有する連結パイプ部材７と、
を具備したことを特徴としている。
【００１２】
また、前記連結パイプ部材７の長さは、前記グリル部３を構成するシャッター部材３同士を連結させるリンク４間の間隔長さに形成されていることを特徴としている。
【００１３】
また、前記連結スラット部材９と、前記連結パイプ部材７とを連結させる前記嵌合連結部１０と前記連結部６は、前記連結スラット部材９及び前記連結パイプ部材７の長手方向に沿ってスライド結合される構造としてもよい。
【００１４】
さらに、前記連結スラット部材９の少なくとも両端には、該連結スラット部材９に対する前記連結パイプ部材７の端部の位置を固定する固定手段、例えばビス１４などの固定部材が配設されることが好ましい。
【００１５】
【発明の実施の形態】
図１は本発明によるシャッターカーテンの連結構造を示す正面部分図、図２は図１におけるＡ−Ａ線に沿う拡大断面図、図３は要部分解斜視図である。
【００１６】
本実施の形態のシャッターカーテンの連結構造が用いられるシャッターカーテンは、上部がスラット部１で構成され、下部がグリル部２で構成される、一部開放型のシャッターカーテンの場合で説明する。
【００１７】
まず、グリル部２は、図１に示すように、パイプよりなるシャッター部材３が、各リンク部材４の貫通孔５に嵌入して水平方向に延びており、これらシャッター部材３は上下方向に適宜な間隔をおいて配設されているもので、リンク部材４とともに略格子状をなしている。
なお、このグリル部２を構成するシャッター部材３には、図示していないが、リンク部材４間などのシャッター部材３自体が表出する箇所に、化粧パイプが被覆されるよう挿着され、意匠性が付加されている。
【００１８】
これらシャッター部材の内で最も上に位置するシャッター部材３、即ち、スラット部１と最も近接するシャッター部材３に、連結パイプ部材７が取り付けられる。
【００１９】
この連結パイプ部材７は、図２及び図３に示すように、筒部８と連結部６とからなり、筒部８はグリル部２の最も上に位置するシャッター部材３が挿通される内径に形成されており、このシャッター部材３に連結されているリンク部材４の間をほぼ密に取り付られるようにその長さが形成されている。また、この筒部８の外周の一部となる上部には、一対の鉤状片を向かい合わせた形状からなる略凹状の連結部６が、筒部８の長手方向に沿って一体に形成されている。
なお、この筒部８の外径は、グリル部２のシャッター部材３を被覆する前記化粧パイプ（図示せず）と同径に形成されることで、略統一した意匠性を得られるものである。
【００２０】
また、スラット部１は、短冊板形状で水平方向に延びる各スラット部材２０が上下方向にカール部１３にて連接されており、図１及び図２に示すように、最下端、即ち、グリル部２と最も近接しているスラット部材２０に連結スラット部材９が連結されている。
【００２１】
この連結スラット部材９は、スラット部１を構成するスラット部材２０と同等の長さに形成され、下縁に嵌合連結部１０が形成されており、この嵌合連結部１０は、図３に示すように、長手方向に延びる一対の断面略鉤状に形成され突出した断面略逆Ｔ字形状に形成されている。
【００２２】
この嵌合連結部１０の上部は、図２に示すように、略矩形状の空間部１１を有しており、この空間部１１から上方へ延出されて連結カール部１２を備えている。この連結カール部１２は、この連結スラット部材９の上方に位置するスラット部材２０のカール部１３と、その全長にわたって係合され、これによりスラット部１に連結されるようになっている。
【００２３】
そして、連結パイプ部７の略凹形状の連結部６に、連結スラット部９の略凸形状の嵌合連結部１０を、互いに鉤状部分を係合させながら、端部側から互いにスライドさせながら嵌合させることにより、連結部６と嵌合連結部１０とを嵌合連結させて、上方のスラット部１と下方のグリル部２とが連結されるのである（図２、図３参照）。
【００２４】
また、両連結部６，１０の連結後に、連結スラット部材９に対する連結パイプ部材７の横（幅）方向の位置ずれを防止するために、連結スラット部材９の両端に位置し、連結パイプ部材７の端部に近接する位置に、ビス１４などの固定手段を設ける。このビス１４の取り付けによって、連結パイプ部材７の横ずれが防止される。
【００２５】
なお、リンク部材４の間隔は、シャッターが配置される建物の間口と関係があり、この間口の幅長によって各リンク部材４の間隔が決まる。従って、連結パイプ部材７はこの間隔長さに応じて適宜な長さに形成され、シャッター部材３に嵌合されるようになっており、すなわち、グリル部２の最も上に位置するシャッター部材３には、この連結パイプ部材７とリンク部材４とが交互に装着されるようになっている。
【００２６】
また、本実施の形態では、グリル部２の下端に連結される座板１５とも、前述した連結パイプ部材７及び連結スラット部材９をもって同様に連結することが可能である。
【００２７】
すなわち、座板１５の上縁に形成されているカール部に、前述した連結スラット部材９の連結カール部１２を係合し、この連結スラット部材９の嵌合連結部１０を上方に向けるよう連結させる。
【００２８】
また、グリル部２の最下端に位置するシャッター部材３に、前述した連結パイプ部材７を同様に嵌挿させ、連結部６を下向きとする。
【００２９】
そして、連結パイプ部材７の連結部６と、連結スラット部材９の嵌合連結部１０とを互いに嵌合させることにより、座板１５とグリル部２とを連結させるのである。
【００３０】
なお、この連結パイプ部材７の連結スラット部材に対する横ずれを防止するために、連結パイプ部材１７の両端には、連結パイプ部材１７と隣接させてビス１４を固着する。
【００３１】
以上のように本実施の形態のシャッターカーテンの連結構造は、スラット部１とグリル部２とを連結スラット部材９と連結パイプ部材７によって、互いを嵌合させるという手段を用いて連結したことにより、連結を行うための手段が容易となることから、シャッターカーテンとしての製作も容易となり、その製作の作業性が良好となる。また、違和感のある形状の部材や、切欠部分が正面に露出するようなことがなくなり、外観が整い、意匠性が向上する。
【００３２】
また、上記実施の形態では、座板１５とグリル部２との連結も、連結スラット部材９と連結パイプ部材７を用いて嵌合により連結することが可能となるので、座板１５の連結もきわめて容易となり、外観も整うものである。すなわち、上記実施の形態によれば、シャッターカーテンの製作がスラット部１とグリル部２、グリル部２と座板１５とを共に、連結スラット部材９と連結パイプ部材７を用いて嵌合によって連結する構造としたことにより、製作が容易となるとともに、作業性が向上し、外観を損なうという不都合が解消されるものである。
【００３３】
なお、上述した実施の形態では、上部がスラット部１で、下部がグリル部２とされた一部開放型のシャッターカーテンである例について説明したが、下部がスラット部１で上部がグリル部２とされたシャッターカーテンや、上部と下部にスラット部１が位置し中途部分にグリル部２が配置する一部開放型のシャッターカーテンや、グリル部２の連続するシャッターカーテンの一部をスラット部１とするシャッターカーテン、交互にスラット部１とグリル部２が連結されるシャッターカーテンなどでも本発明は適用されるものである。
【００３４】
また、このようにスラット部１のスラット部材２０とグリル部２のシャッター部材３とを所望の組み合わせで連結してシャッターカーテンを構成することが可能であることから、グリル部２の連続するシャッターカーテンの中途にスラット部１のスラット部材２０を１枚のみ連結したシャッターカーテンを構成してもよく、この場合、このスラット部材２０に施錠装置を内蔵させることが可能となる。
【００３５】
さらに、上述した実施の形態では、連結パイプ部材７と連結スラット部材９との連結方向、すなわち、連結スラット部材９に設けられる連結カール部１２の向きについて特に詳述していないが、この連結スラット部材９によれば、連結パイプ部材７に対する嵌合の向きを表裏反対に行うことが可能であり、このことから、グリル部３に対して連結されるスラット部１のスラット部材２０に形成されるカール部１３の向きに合わせて連結スラット部材９の向きを合わせることが可能となる。
【００３６】
また、上述した実施の形態では、連結スラット部材９の形状を、空間部１１を有する形状として説明したが、これに限定されることはなく、嵌合連結部１０と連結カール部１２とを備えた形状であれば、どのような形状としてもよく、好ましくは、この連結スラット部９に連結されるスラット部１のスラット部材２０の形状や意匠性と同様の形状とするとよい。
【００３７】
また、上述した実施の形態では、連結スラット部材９と連結パイプ部材７との連結嵌合構造を、連結スラット部材９では凹状に形成され、連結パイプ部材７では凸状に形成される例として述べたが、この組み合わせに限定されるものではなく、逆に連結スラット部材９が凸状に形成され、連結パイプ部材７が凹状に形成されていてもよく、互いが確実に係合し、容易に脱落しない構造とすればその他の形状としてもよい。
【００３８】
さらに、上述した実施の形態では、シャッターカーテンを構成するスラット部１及びグリル部２の各部材が上下方向に連結される、昇降により開閉するシャッターカーテンについて述べたが、上述した連結パイプ部材７及び連結スラット部材９によるシャッターカーテンの連結構造は左右横方向に開閉の行われる横引きシャッターにも適用が可能である。
【００３９】
【発明の効果】
以上説明したように本発明のシャッターカーテンの連結構造によれば、スラット部とグリル部とを連結パイプ部材と連結スラット部材とを用いて、互いの嵌合によって連結したものであるから、確実にして安定よく連結されるという効果を得られる。
【００４０】
特に、嵌合による構造であり、また、長手方向のスライド結合により嵌合とする構造とすることにより、互いの連結が容易であり、シャッターカーテンとしての製作も容易となるものである。
【００４１】
すなわち、ビス止めや溶接、切欠の形成をしていた従来技術と比べてはるかに簡便にして容易に連結できるものである。
【００４２】
そして、シャッターを構成する各部材とは異なる違和感のある形状の専用の連結部材や、切欠部分などが表面に明らかに露出することがなく、特に連結スラット部材にはスラット部のスラット部材と全長にわたって係合する連結カール部を有していることから、外観が整い、美観を損なうことがなく、意匠性が向上するという効果を得られる。
また、連結パイプ部材７の長さは、グリル部３を構成するシャッター部材３同士を連結させるリンク４間の間隔長さに形成されていることから、スラット部とグリル部との間に、横方向の位置ずれやガタつきが生じるおそれがなく、組み立て精度が向上し、意匠性の点でも優れている。
【００４３】
また、連結パイプ部材の端部に位置する、連結スラット部材の少なくとも両端に固定手段を配設することにより、連結スラット部材に対する連結パイプ部材の横ずれが防止でき、脱落などの不具合のおそれを無くすことが可能となる。
【図面の簡単な説明】
【図１】本発明の実施の形態を示す一部開放型シャッターカーテンの正面部分図
【図２】図１におけるＡ−Ａ線に沿う拡大断面図
【図３】同実施の形態の要部分解斜視図
【図４】従来技術の正面部分図
【図５】従来技術の正面部分図
【符号の説明】
１…スラット部
２…グリル部
３…シャッター部材
４…リンク部材
６…連結部
７…連結パイプ部材
８…筒部
９…連結スラット部材
１０…嵌合連結部
１２…連結カール部
１４…固定手段（ビス）
２０…スラット部材
【図１】
0003804195.tif 000002
【図２】
0003804195.tif 000003
【図３】
0003804195.tif 000004
【図４】
0003804195.tif 000005
【図５】
0003804195.tif 000006